(57)【要約】【課題】サービス業界の店内の所望する台や壁に手軽に設置され、かつ、顧客が所持する携帯情報端末とのネットワーク通信の容易化を図ること。【解決手段】少なくとも片手で持ち運びできる大きさに形成された支持部材の嵌合凹所に設けられた光源と、この光源の光を一端面から受け入れ、かつ、屈折部位で表面側に出射する透光性板体を含む板状重畳体と、この板状重畳体の取付けベース板に形成した嵌合部に嵌め込まれた携帯情報端末用のデータ送受信体とを備えたデータ情報媒体装置。【選択図】図５
2008191523.tif 000002
【特許請求の範囲】
【請求項１】
少なくとも片手で持ち運びできる大きさに形成された支持部材に設けられた光源と、この光源の光を一端面から受け入れ、かつ、視覚情報用の屈折部位で表面側に出射する透光性板体を含む板状重畳体と、この板状重畳体の取付けベース板の嵌合部に嵌め込まれた携帯情報端末用のデータ送受信体とを備えたデータ情報媒体装置。
【請求項２】
請求項１に於いて、光源は二種類含み、これらの光源から異なる色の光を受けた第１透光性板体３１と第２透光性板体４１は、それぞれの屈折部位で互いに異なる色で出射し、板状重畳体１０に付された視覚情報は、看者に対して模様的要素を与えることを特徴とするデータ情報媒体装置。
【請求項３】
請求項１に於いて、板状重畳体１０は、データ送受信体を有する取付けベース板１１と、この前面に位置する化粧板２１と、この化粧板の前面に位置する第１透光性板体３１と、この第１透光性板体３１の前面に位置する第２透光性板体４１とから構成されていることを特徴とするデータ情報媒体装置。
【請求項４】
請求項１に於いて、嵌合支持部材１は、店内の台上に設置される台座であることを特徴とするデータ情報媒体装置。
【請求項５】
請求項１に於いて、板状重畳体１０は、固定手段を介して互いに分離自在であることを特徴とするデータ情報媒体装置。
【発明の詳細な説明】
【技術分野】
【０００１】
本発明は、主にサービス業界の店内に設置され、顧客が所持する携帯情報端末とのネットワーク通信が可能なデータ情報媒体装置に関する。
【背景技術】
【０００２】
特許文献１には、面同士を接合した重畳体構造の面発光パネルユニットが記載されている。また、特許文献２には、面発光プレートにて面より光を均一に発光させる手段として、アクリル板の表面にＶ溝を形成すると共に、前記アクリル板の背面に反射板を重ね合わせる事項が記載されている。さらに、特許文献３には、路面上やトンネルの適用され得る視向性面発光体が開示され、この視向性面発光体は、嵌合支持部材の嵌合凹所に設けられた光源と、この光源の光を一端面から受け入れ、かつ、屈折部位で表面側に出射する透光性板体とから成る旨が図１と共に記載されている。一方、顧客が所持する赤外線受信機能を備えた携帯情報端末を用いてネットワーク通信が可能であることは公知事項である。
【特許文献１】特開平６−１２９０７号公報
【特許文献２】特開２００４−１７２０７６号公報
【特許文献３】特開平１０−２３２６３３号公報
【発明の開示】
【発明が解決しようとする課題】
【０００３】
本発明の所期の目的は、主にサービス業界の店内の所望する台や壁に手軽に設置され、かつ、顧客が所持する携帯情報端末とのネットワーク通信でのコンテンツ配信及び通信の容易化を図ることである。第２の目的は、データ情報媒体装置を構成する板状重畳体の広告機能を高めることができることである。第３の目的は、板状重畳体に付された視覚情報を、店内の顧客の視覚に訴えることである。第４の目的は、所望するならば、板状重畳体の内部に簡単にシート状の宣伝広告媒体を装着することができることである。その他、設置の容易性、経済性、耐久性等に優れていることである。
【課題を解決するための手段】
【０００４】
本発明のデータ情報媒体装置は、少なくとも片手で持ち運びできる大きさに形成された支持部材に設けられた光源と、この光源の光を一端面から受け入れ、かつ、視覚情報用の屈折部位で表面側に出射する透光性板体を含む板状重畳体と、この板状重畳体の取付けベース板に形成した嵌合部に嵌め込まれた携帯情報端末用のデータ送受信体とを備えたことを特徴とする。
【０００５】
上記構成に於いて、光源は二種類含み、これらの光源から異なる色の光を受けた第１透光性板体３１と第２透光性板体４１は、それぞれの屈折部位で互いに異なる色で出射し、板状重畳体１０に付された視覚情報は、看者に対して模様的要素を与える。また、板状重畳体１０は、データ送受信体を有する取付けベース板１１と、この前面に位置する化粧板２１と、この化粧板の前面に位置する第１透光性板体３１と、この第１透光性板体３１の前面に位置する第２透光性板体４１とから構成されている。また、嵌合支持部材１は、店内の台上に設置される台座であることを特徴とする。さらに、板状重畳体１０は、固定手段を介して互いに分離自在であることを特徴とする。
【発明の効果】
【０００６】
（１）サービス業界の店内の所望する台や壁に手軽に設置され、かつ、顧客が所持する携帯情報端末とのネットワーク通信が容易にできる。したがって、当該お店の提供情報を直ちに知ることができる。
（２）請求項２に記載の発明は、光源から異なる色の光を受けた板状重畳体１０の視覚情報部位（屈折部分）が模様のように見えるので、該視覚情報を、店内の顧客の視覚に訴えることができる。
（３）請求項３に記載の発明は、板状重畳体が、少なくとも情報機能を有する化粧板２１、第１透光性板体３１及び第２透光性板体を備えているので、各板体に広告情報を付することができる。したがって、宣伝広告機能（量）を高めることができる。
（４）請求項４に記載の発明は、店内の台上に設置されることから、顧客は、椅子に座りながら、所持する携帯情報端末で片手に持って、かつ、本装置に宛がい、気軽にネットワーク通信でのコンテンツ配信及び通信を楽しむことができる。
（５）請求項５に記載の発明は、所望するならば、板状重畳体の内部に簡単にシート状の宣伝広告媒体物を装着する（挟める）ことができる。
【発明を実施するための最良の形態】
【０００７】
以下、図１乃至図１０に示す本発明を実施するための最良の形態により説明する。
【０００８】
（１）発明の実施の環境
図１は使用時における正面視からの説明図、図２は使用時における平面視からの説明図、図３は使用時における右側面からの説明図、図４は使用時における背面からの説明図、図５は使用時における斜視からの説明図である。これらの図から明らかなように、本発明のデータ情報媒体装置Ｘは、主に屋内設置型であり、例えば店内の台上Ｔに設置され、顧客が椅子に座りながら、所持する自己の携帯情報端末でもって、気軽にネットワーク通信を楽しむ際に利用される。以下、本発明の特定要件について順次説明するが、細部的な事項は図面及びその説明を割愛する。
【０００９】
（２）台座１と光源５
図６は持ち運び自在な屋内設置型のデータ情報媒体装置Ｘの台座１を示す。この台座１は、少なくとも片手で持ち運びできる大きさに形成された嵌合の支持部材の一例である。データ情報媒体装置Ｘの支持部材（例えば台座）１に設けた光源５、電源用スイッチ３及び電源用接続端子４は、それぞれ概略的に示してある。
【００１０】
合成樹脂製の台座１は、矩形状のベース部１ａと、このベース部１ａの上面に上端開口のケース状に突出形成された支持部１ｂとから成る。
【００１１】
水平なベース部１ａの大きさ（幅）や厚さは特に問わないが、デザイン性、安定性等を考慮して円形又は多角形状に形成されている。枠状支持部１ｂは、複数枚（例えば４枚）の板体の面同士を接合した状態（板状重畳体１０）の下端部を受け入れる嵌合凹所２を有している。
【００１２】
嵌合凹所２は、後述の内設光源５が横方向の部材（長尺物）であること、後述の板状重畳体１０を構成する少なくとも透光性板体の下端部が光源５の上方に位置することを考慮して、その開口は横長矩形状に形成されている。
【００１３】
板状重畳体の大きさや厚さは、例えば普通一般に市販されている手帳（片手で持てる程度のもの）、或いはハガキサイズ、或いはまた、実施例によっては名刺サイズと同様である。したがって、台座１の大きさや厚さは、板状重畳体１０の大きさ（幅）や厚さを考慮して適宜に設定される。
【００１４】
光源５は、支持部１ｂの嵌合凹所２内の奥（底面）に組み込まれる。そして、光源５と台座１の裏側の左右部位にそれぞれ設けた電源用スイッチ３及び接続端子４に電気的に接続される。
【００１５】
また光源５は、板状重畳体１０の一端面（例えば下端面）に沿って光を直接又は間接的に投光することができるように横方向に、例えば複数列に配設された複数個（例えば各列に９個）の高輝度ＬＥＤを含む高輝度発光手段である。もちろん、光源５は、本実施例のＬＥＤに限定するものではなく、冷陰極管やエレクトロルミネッセンス（ＥＬ）を用いることができるが、望ましくは、経済性、耐久性等を考慮して本実施例のＬＥＤを採用する。
【００１６】
ところで、本実施例の光源５は二以上の色を発光する。例えば光源５は二以上の色を発光することができるように横方向に複数配列されている。これは、看者に対するアピール性を考慮して、板状重畳体１０に付された視覚情報（屈折部位）に模様的要素を与えるためである。
【００１７】
付言すると、光源５は、例えば白色系の光を投光する第１高輝度ＬＥＤ５ａと、赤色系の光を投光する第２高輝度ＬＥＤ５ｂの少なくとも二種類の光源５ａ、５ｂを備えている。これら二種類の光源５ａ、５ｂの配列の順序は任意に設定され得る。本実施例では、二種類の光源５ａ、５ｂは、板状重畳体の前部に位置する第１透光性板体３１に対して白色系の光を、一方、前記第１透光性導光板の後部に密着状態に面接合する第２透光性板体４１に対して赤色系の光をそれぞれ同時に投光することができるように配列されている。
【００１８】
（３）板状重畳体１０
板状重畳体１０は、図７で示すように、本実施例では、取付けベース板（板体）１１と、この取付けベース板１１の前面に位置するフイルム状の化粧板（板体）２１と、この化粧板２１の前面に位置する第１透光性板体（板体）３１と、この第１透光性板体３１の前面に位置する第２透光性板体（板体）４１とから構成されている。
【００１９】
板状重畳体１０を構成する各板体１１、２１、３１、４１は、斜視に於いて、外形輪郭が矩形状（例えば長板状）に形成され、少なくとも化粧板２１の前に位置する第１透光性板体３１及び第２透光性板体４１は、一定の厚み（例えば１ｃｍ）を有し、光源５から光を受けると、該光を内部に導入することができる。
【００２０】
ところで、本実施例の各板体１１、２１、３１、４１は、台座１に、その一端部を組み込む前は、それぞれ独立・別個である。
【００２１】
付言すると、台座１の嵌合凹所２の各板体１１、２１、３１、４１の下端部を嵌入した場合に、互いに面接触状態で重なり合う。そして、各板体１１、２１、３１、４１は、それぞれ四隅に複数個の取付け孔５０を有し、これらの取付け孔５０に挿通される固着具５１と固着具に螺合するナット５２を介して一体的な板状重畳体１０となる。そこで、各板体１１、２１、３１、４１の構成を説明する。なお、説明の便宜上、各板体の複数個の取付け孔５０と固着具５１等に関しては同一の符号を用いている。
【００２２】
（４）取付けベース板１１
主に図８を参照にして取付けベース板１１の構成を説明する。取付けベース板１１は、板状重畳体１０の一番裏側に位置する。また、取付けベース板１１の内部には、板状のデータ送受信体１２が組み込まれるので、他の各板体２１、３１、４１よりも肉厚に形成されている。取付けベース板１１の材質に関しては特に限定するものではないが、例えば合成樹脂材で矩形に形成された透明又は半透明の板である。
【００２３】
しかして、１３は取付けベース板１１の一側表面（例えば前面）に形成された嵌合部（例えば横向き凹所）で、この嵌合部１１に板状データ送受信体１２が嵌め込まれる。データ送受信体１２は、本体１２ａの一端面（例えば下端面）から延在する接続コード１２ｂを有している。接続コード１２ｂは、前記取付けベース板１１の嵌合部１３に連通する案内溝１４に嵌め込まれ、台座１の電源用接続端子４やコードを介して家庭用交流電源等に接続される。
【００２４】
（５）データ送受信体
ここで送受信部を備えたデータ送受信体１２の構成について説明する。データ送受信体１２は、取付けベース板１１の横向き凹所１３内に収まる大きさに形成され、その内部にネットワーク通信に必要な各種の機能を備えている。
【００２５】
すなわち、板状データ送受信体１２は、携帯情報端末６０に対して、例えば赤外線データをダイレクトに配信（伝播）する赤外線送信機能や携帯情報端末６０からの通信情報をネットワーク介して管理サーバへ送信する機能を有する。
【００２６】
付言すると、データ送受信体１２は、ネットワークに接続するネットワーク通信インターフェイス、ネットワーク介して送られるコンテンツ及びその関連データを記録する記憶機能、コンテンツデータを赤外線データ配信方式で携帯情報端末６０に配信する赤外線送信インターフェイス等を備えている。
【００２７】
（６）携帯情報端末６０
また、携帯情報端末６０は、情報受理・情報処理・情報表示・情報操作、情報送信等の諸機能を有する。本実施例では、赤外線受信機能を有する携帯電話６０は、使用者が複数個の選択項目の中から赤外線受信項目を、回転式、プッシュ式等の操作手段を介して選択すると、データ送受信体１２との間で、赤外線、無線電波等を用いる双方向により、例えばお店のサービス情報、メニュー情報、クーポン情報等のコンテンツ配信〜例えば予約、契約等通信をすることができる。
【００２８】
付言すると、店内のテーブル、レジカウンター等の台上Ｔに設置されたデータ送受信体１２を含むデータ情報媒体装置Ｘと携帯情報端末６０の存在は、赤外線や無線電波を用いる送受信により、ワイヤレスネットワーク通信でのコンテンツ配信及び通信システムを可能にする。  
【００２９】
したがって、携帯情報端末６０は、データ情報媒体装置Ｘのデータ送受信体１２を介して、ＵＲＬ情報で示される当該店のウェブサイト等に直ちにアクセスできる。  
【００３０】
なお、図示しないネットワーク上の管理サーバは、配信コンテンツ及びその関連情報の記憶及び管理機能はもちろんのこと、データ情報媒体装置Ｘの管理機能、携帯情報端末６０からデータ情報媒体装置Ｘを介して送信された情報を処理ないし集計する管理機能等を備える。
【００３１】
（７）化粧板２１
例えば黒色系の化粧板２１は、取付けベース板１１と第１透光性板体３１の間に介在し、宣伝広告板としての役割を果たす。図９に化粧板２１の表面に付された宣伝広告の内容の一例が示されている。すなわち、ａはデータ情報媒体装置Ｘの商標欄、ｂは赤外線用の通孔２２付近に設けられた使用説明欄、ｃは宣伝広告欄である。なお、この化粧板２１は光を反射させる機能を有する。
【００３２】
（８）透光性板体
図７を参照にして透光性板体３１、４１を説明する。透光性板体３１、４１は、化粧板２１の前面に位置する第１透光性板体３１と、この第１透光性板体３１の前面に位置する第２透光性板体４１とから構成されている。
【００３３】
前述したようにこれらの板体３１、４１は、光源５から光を受けると、該光を内部に導入することができるアクリル、ガラス、ポリカーボネート等の材質で形成されている。
また、各板体３１、４１は、表面、裏面（背面）、上端面、下端面がそれぞれ平坦に形成されている。また、各板体３１、４１は、化粧板２１と同様に、例えば赤外線用の通孔３２、４２を有する。これらの通孔３２、４２は化粧板２１の通孔２２と連通する。もちろん、透明な材質の場合には、赤外線等が通過可能であるから、例えば赤外線用の前記通孔３２、４２は、本発明の特定要件ではない。
【００３４】
さらに、各板体３１、４１は、文字、図形等の情報を光で強調（浮き上がるように見せかけ）するために、適宜箇所に凹凸部分、溝、孔等視覚情報用の反射部位３３、４３を有している。反射部位３３、４３は視覚情報を意味する。
【００３５】
付言すると、本実施例の各板体３１、４１は、台座１の嵌合凹部２内に光源５が配設されていることから、前記嵌合凹部２に嵌入された下端面３１ａ、４１ａから前記光源５を受け入れ、かつ、導入光を視覚情報用の反射部位３３、４３で反射させて、表面から外方向へ出射させる面発光体としての役割を果たす。
【００３６】
しかして、本実施例では、光源５は、白色系と赤色系の二種類で構成されているので、例えば第１透光性板体３１の反射部位３３は赤色となり、一方、第２透光性板体４１の反射部位４３は白色（赤と異なる色）に成る。
【００３７】
したがって、データ情報媒体装置Ｘの板状重畳体に付された化粧板２１ないし透光性板体３１、４１にそれぞれ付された視覚情報、すなわち、板状重畳体１０に付された視覚情報３３、４３は、看者に対して模様的要素を与える。なお、各透光性板体３１、４１の反射部位３３、４３は、正面視、互いに重ならない位置にそれぞれ設けられている。
【００３８】
（９）組み合わせ
まず、図８で示すように、データ送受信体１２を取付けベース板１１の嵌合部１３に嵌め込む。この時、接続コード１２ｂを案内溝１４に嵌め込むと共に、化粧板２１の裏面を取付けベース板１１に密着させる。
【００３９】
次に、各板体１１、２１、３１、４１を互いに重ね合わせ、図１０の（ａ）で示すように、下端部を台座１の嵌合凹所２に嵌め込む。この時、名刺を含むシート状宣伝広告媒体物６１を、化粧板２１、第１透光性板体３１、第２透光性板体４１等の間に差し込むことができる。
【００４０】
最後に、図１０の（ｂ）で示すように、固定手段としての固着具５１を各板体１１、２１、３１、４１の四隅の取付け孔５０にそれぞれ挿通し、かつ、固着具５１にナット５２を螺合して、各板体１１、２１、３１、４１を一体的な板状重畳体１０とする。
そして、使用の際には、図示しないコードを台座１の接続端子４に接続して商業用電源を利用する。電源用スイッチ３をＯＮにすると、データ情報媒体装置Ｘは使用可能な状態となる。
【００４１】
（１０）使用例
図５は使用例を示す。例えばお店のテーブル、レジカウンターＴ等の台上Ｔにデータ情報媒体装置Ｘを設置しておく。今仮に、顧客が赤外線受信機能を有する携帯電話６０を有しているならば、携帯電話６０を赤外線受信モードに切り替える。そうすると、前述したように携帯電話６０とデータ情報媒体装置Ｘとのやりとりができ、例えばお店のサービス情報、メニュー情報、クーポン情報等のコンテンツ配信〜例えば予約、契約等を通信で行うことができる。
【実施例】
【００４２】
実施例に於いて、データ送受信体１２は、携帯情報端末６０に対して、例えば赤外線データをダイレクトに配信（伝播）する赤外線送信機能や携帯情報端末６０からの通信情報をネットワーク介して管理サーバへ送信する機能を有する旨を説明したが、本発明は、「赤外線」に限定するものではない。
【００４３】
周知のように、「Ｂｌｕｅｔｏｏｔｈ（ブルートウース）」は、赤外線と同様にワイヤレスで通信が可能であるから、データ送受信体１２がＢｌｕｅｔｏｏｔｈで対応可能な実施例も、本発明の請求項１の記載のデータ送受信体１２に当然含まれる。また、同様の趣旨から、ＩＣチップ方式の公知又は新規な構成のデータ送受信体１２も本発明の請求項１の記載のデータ送受信体１２に含まれる。
【００４４】
また、実施例に於いて、台座１は嵌合凹所２を有し、この嵌合凹所の内壁底面に光源５を配設したが、前記光源５を厚みのある天板内に組み込むことができる。付言すると、板状重畳体１０の上端部に天板を加味し、又は台座１を天板に代え、該天板の嵌合凹所内に光源５を内設すると共に、板状重畳体１０の上端部を前記嵌合凹所に嵌め込むことができる。
【００４５】
上記のように構成すると、板状重畳体１０は、その上端面（一端面）から光源５を受け入れ、光を均一に平面上で拡散し、文字、図形等を表現した反射部位３３、４３で反射して、その表面上で視覚情報を強調するように面反射することから、本発明の実施例と同一の目的を達成することができる。
【００４６】
また実施例は、お店のテーブル、カウンターＴ等の台上Ｔに置く、いわゆる置時計タイプであるが、壁掛けタイプに設計変更することもできる。この場合、台座１又は台座に代わる天板の背面と取付けベース板１１の背面が略垂直面上に位置するに構成し、取付けベース板１１の上端部に吊り下げ手段を設ける。このように実施例の形態を適宜設計変更することが可能である。
【００４７】
なお、実施例の板状重畳体１０は、固定手段（固着具とナット）を介して互いに分離自在であるが、固定手段は、オス・メス係合手段、極性に対応して吸着する磁石であっても良い。
【産業上の利用可能性】
【００４８】
本発明は、主にサービス業界の店内に設置され、顧客が所持する携帯情報端末により、ネットワーク通信でのコンテンツ配信及び通信システムのデータ情報媒体手段として利用される。
【図面の簡単な説明】
【００４９】
図１乃至図１０は本発明の最良の実施例を示す各説明図。
【図１】使用時における正面視からの説明図。
【図２】使用時における平面視からの説明図。
【図３】使用時における右側面からの説明図。
【図４】使用時における背面からの説明図。
【図５】使用時における携帯情報端末との関係を示す斜視からの説明図。
【図６】台座と光源の概略説明図。
【図７】板状重畳体の分解斜視図。
【図８】取付けベース板とデータ送受信体と携帯情報端末の関係を示す概略説明図。
【図９】化粧板の概略説明図。
【図１０】図１０の（ａ）は板状重畳体の下端部を台座の嵌合凹所２に嵌め込む説明図。図１０の（ｂ）は板状重畳体を固定手段で固定した説明図。
【符号の説明】
【００５０】
Ｘ…データ情報媒体装置、Ｔ…台、１…支持部材（例えば台座）、１ａ…ベース部、１ｂ…支持部、２…嵌合凹所、３…電源用スイッチ、４…電源用接続端子、５…光源、１０…板状重畳体、１１…取付けベース板、１２…データ送受信体、１２ａ…本体、１２ｂ…接続コード、１３…嵌合部、１４…案内溝、２１…化粧板、２２、３２、４２…通孔、３１…第１透光性板体、４１…第２透光性板体、３３、４３…反射部位、５０…取付け孔、５１、５２…固定手段、６０…携帯情報端末、６１…シート状の宣伝広告媒体物。
【図１】
2008191523.tif 000003
【図２】
2008191523.tif 000004
【図３】
2008191523.tif 000005
【図４】
2008191523.tif 000006
【図５】
2008191523.tif 000007
【図６】
2008191523.tif 000008
【図７】
2008191523.tif 000009
【図８】
2008191523.tif 000010
【図９】
2008191523.tif 000011
【図１０】
2008191523.tif 000012